(57)【要約】流体回路は複数の管セグメントと複数の作動構成要素とを含む。それぞれの管セグメントは、（ｉ）流体通路を規定する非導電性ポリマー部分と、（ｉｉ）それぞれの管セグメントの端部へと軸方向に延びる１つまたは複数の内部導電性フルオロポリマーストライプとを含む。それぞれの作動構成要素は、流体回路の一部を形成する複数の管コネクタ継手の間に延びる導電性フルオロポリマーを含む。それぞれの作動構成要素とそれぞれの管セグメントとを通る接地経路を提供するためにそれぞれの管コネクタ継手は、作動構成要素のそれぞれの導体を、管セグメントの内部導電性フルオロポリマーストライプに導電的に接続する。
2021519902.tif 000002
【特許請求の範囲】
【請求項１】
少なくとも１つの入口と少なくとも１つの出口とを有する所定の流体流路用の流体回路であって、
前記流体回路は複数の管セグメントと複数の作動構成要素とを備え、
それぞれの前記作動構成要素は、内部流体流路と複数の管コネクタ継手とを備えた本体部分を含み、前記作動構成要素は、選択された前記管コネクタ継手で複数の前記管セグメントを接続し、複数の前記管セグメントと前記作動構成要素とは前記流体回路を通る前記流体流路を提供し、
それぞれの前記管セグメントは、（ｉ）流体通路を規定する非導電性ポリマー部分と、（ｉｉ）それぞれの前記管セグメントの端部へと軸方向に延びる導電性フルオロポリマーの１つまたは複数の内部導電性ストライプとを備え、
前記作動構成要素のそれぞれの前記本体部分は、複数の前記管コネクタ継手のそれぞれの間に延びる導電性フルオロポリマーを備え、
それぞれの前記管コネクタ継手は、前記本体部分のそれぞれの導体を、前記管セグメントの１つまたは複数の前記内部導電性ストライプに導電的に接続する、
流体回路。
【請求項２】
複数の前記作動構成要素は、弁、ストレートコネクタ、Ｔコネクタ、エルボコネクタ、マルチコネクタマニホールド、フィルタ、熱交換器、またはセンサのいずれか１つを含む、
請求項１に記載の流体回路。
【請求項３】
前記作動構成要素は、前記流体通路を通る流れを調整するための流体通路弁を有する本体部分を含む弁である、
請求項１または２に記載の流体回路。
【請求項４】
前記作動構成要素は、２つの前記管セグメントを接続するための流体通路を有するストレートコネクタである、
請求項１または２に記載の流体回路。
【請求項５】
前記作動構成要素は、３つの前記管セグメントを接続するための流体通路を有するＴコネクタである、
請求項１または２に記載の流体回路。
【請求項６】
前記作動構成要素は、４つ以上の前記管セグメントを接続するための流体通路を有するマルチコネクタマニホールドである、
請求項１または２に記載の流体回路。
【請求項７】
それぞれの前記管コネクタ継手は、ネジ付きニップル部分と、前記ネジ付きニップル部分に取付可能な継手ナットとを備える、
請求項１〜６のいずれか一項に記載の流体回路。
【請求項８】
前記管コネクタ継手は、雄ニップル部分と継手ナットとを備える１つまたは複数の入口部分を有し、
前記雄ニップル部分は、前記継手ナットに係合するためのネジ部分を有し、
前記継手ナットは、前記作動構成要素の前記導電性フルオロポリマーを前記管セグメントの端部の前記内部導電性ストライプと係合させて、前記導電性フルオロポリマーと前記管セグメントの端部の前記内部導電性ストライプとを導電的に接続する、
請求項１〜７のいずれか一項に記載の流体回路。
【請求項９】
１つまたは複数の前記作動構成要素は、それぞれの前記作動構成要素の導電性ポリマーを接地に導電的に接続する取付特徴を備える、
請求項１〜８のいずれか一項に記載の流体回路。
【請求項１０】
前記作動構成要素は、流体通路を有するハウジングと、フィルタ要素と、２つの導電性エンドキャップとを備える本体部分を含むフィルタであり、前記導電性エンドキャップは、前記フィルタに接続された管セグメントに導電的に接続するための管コネクタ継手と導電性継手ナットとを有し、
前記本体部分は、複数の前記導電性エンドキャップを導電的に接続するための導電性の外部ストライプを有する、
請求項１または２に記載の流体回路。
【請求項１１】
前記作動構成要素は、２つの導電性エンドキャップを前記本体部分の外部に導電的に接続する導電性スリーブを有するフィルタを含む、
請求項１、２または１０のいずれか一項に記載の流体回路。
【請求項１２】
前記作動構成要素は、流体通路を有するハウジングと、フィルタ要素と、単一の導電性エンドキャップとを有する本体部分を備えるフィルタであり、前記導電性エンドキャップは、前記フィルタに接続された前記管セグメント同士を導電的に接続するための管コネクタ継手と導電性継手ナットとを有する、
請求項１または２に記載の流体回路。
【請求項１３】
前記作動構成要素は、単一のエンドキャップを前記本体部分の外部に導電的に接続するための導電性スリーブを有するフィルタである、
請求項１、２または１２のいずれか一項に記載の流体回路。
【請求項１４】
前記作動構成要素は、ドレーン継手の中に継ぎ手する導電性プローブを備える、
請求項１〜１３のいずれか一項に記載の流体回路。
【請求項１５】
前記導電性プローブが接地に取付可能である、
請求項１４に記載の流体回路。
【請求項１６】
複数の前記作動構成要素のそれぞれは、互いに導電的に接続されている、
請求項１に記載の流体回路。
【請求項１７】
前記管セグメントの１つまたは複数の前記内部導電性ストライプのそれぞれは、導電性フルオロポリマーを含み、
複数の前記作動構成要素のそれぞれは、前記管セグメントの１つまたは複数の前記内部導電性ストライプを介して互いに導電的に接続される、
請求項１〜１６のいずれか一項に記載の流体回路。
【請求項１８】
前記管セグメントは前記管セグメントの内部に、２つ、４つ、６つ、または８つの結合および均一な導電性フルオロポリマーストライプを備える、
請求項１〜１７のいずれか一項に記載の流体回路。
【請求項１９】
前記管セグメントは、約１．２×１０４〜６．７×１０５オームの測定された抵抗を有する、
請求項１〜１８のいずれか一項に記載の流体回路。
【請求項２０】
前記管セグメントは、約２．５〜４．３×１０４オームの測定された抵抗を有する、
請求項１〜１９のいずれか一項に記載の流体回路。
【請求項２１】
前記管セグメントは前記管セグメントの外側に、１つまたは複数の導電性フルオロポリマーストライプを備える、
請求項１〜２０のいずれか一項に記載の流体回路。
【請求項２２】
.流体供給から処理ステージに向かう流体のための流体通路を規定する流体回路であって、
前記流体回路は複数の管セグメントと複数の作動構成要素とを備え、
それぞれの作動構成要素は、内部流体流路と複数の管コネクタ継手とを有する本体部分を備え、前記作動構成要素は選択された前記管コネクタ継手で複数の前記管セグメントを接続し、複数の前記管セグメントと前記作動構成要素とは前記流体回路を通る流体流路を提供し、
それぞれの前記管セグメントは、（ｉ）前記流体通路を規定する非導電性ポリマー部分と、（ｉｉ）それぞれの前記管セグメントの端部へと軸方向に延びるフルオロポリマーの２つ、３つ、４つ、５つ、６つ、７つ、または８つ以上の内部導電性ストライプとを備え、
それぞれの前記作動構成要素は、複数の前記管コネクタ継手のそれぞれの間に延びる導電性フルオロポリマーを備える本体部分を含み、
それぞれの前記管コネクタ継手は前記本体部分のそれぞれの導体を、前記管セグメントのポリマーの少なくとも１つの前記内部導電性ストライプに導電的に接続し、
それぞれの前記作動構成要素とそれぞれの前記管セグメントとを通って延びる接地経路が提供される、
流体回路。
【請求項２３】
少なくとも１つの入口と少なくとも１つの出口とを有する所定の流体流路のための静電放電軽減流体回路を製造する方法であって、
前記方法は複数の管セグメントを複数の作動構成要素に接続する工程を備え、
それぞれの前記作動構成要素は、内部流体流路と複数の管コネクタ継手とを備える本体部分を含み、前記作動構成要素は、選択された管コネクタ継手で複数の前記管セグメントを接続し、複数の前記管セグメントと前記作動構成要素とは流体回路を通る前記流体流路を提供し、
それぞれの前記管セグメントは、（ｉ）流体通路を規定する非導電性ポリマー部分と、（ｉｉ）それぞれの前記管セグメントの端部へと軸方向に延びるポリマーの１つまたは複数の内部導電性ストライプとを備え、
それぞれの前記本体部分は、複数の前記管コネクタ継手のそれぞれの間に延びる導電性フルオロポリマーを備え、
それぞれの前記管コネクタ継手は、前記本体部分のそれぞれの導体を、前記管セグメントのフルオロポリマーの少なくとも１つの前記内部導電性ストライプに導電的に接続し、
前記方法は前記静電放電軽減流体回路を接地接続する工程を備える、
静電放電軽減流体回路を製造する方法。
【請求項２４】
複数の前記作動構成要素は、弁、ストレートコネクタ、Ｔコネクタ、エルボコネクタ、マルチコネクタマニホールド、フィルタ、熱交換器、またはセンサのうちのいずれか１つを含む、
請求項２３に記載の静電放電軽減流体回路を製造する方法。
【請求項２５】
前記管セグメントの前記内部導電性ストライプは、前記管セグメントの前記非導電性ポリマー部分に結合され均一である、
請求項１〜２４のいずれか一項に記載の流体回路または方法。
【発明の詳細な説明】
【技術分野】
【０００１】
本開示の実施形態は、流体処理システム、より具体的には、静電放電軽減（ｅｌｅｃｔｒｏｓｔａｔｉｃ ｄｉｓｃｈａｒｇｅ ｍｉｔｉｇａｔｉｏｎ）を備えた超高純度流体処理システムを対象とする。
【背景技術】
【０００２】
高純度基準を提供する流体処理システムは、高度な技術の用途において多くの用途を有する。これらの用途にはソーラーパネル、フラットパネルディスプレイの処理と製造が含まれ、半導体業界では、フォトリソグラフィー、バルク化学デリバリー、化学機械研磨（ＣＭＰ：ｃｈａｍｉｃａｌ ｍｅｃｈａｎｉｃａｌ ｐｏｌｉｓｈｉｎｇ）、ウェットエッチング、およびクリーニングなどの用途が含まれる。これらの用途で使用される特定の化学物質は特に腐食性であり、流体処理構成要素の腐食および化学物質の環境への浸出の可能性があるため、従来の流体処理技術の使用を妨げる。
【０００３】
そのような用途の耐食性および純度の要件を満たすために、流体処理システムは、不活性ポリマーから作られた管（ｔｕｂｉｎｇ）、継手（ｆｉｔｔｉｎｇｓ）、弁、および他の要素を提供する。これらの不活性ポリマーには、テトラフルオロエチレンポリマー（ＰＴＦＥ）、パーフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、およびフッ素化エチレンプロピレンポリマー（ＦＥＰ）などのフルオロポリマーが含まれ得るが、これらに限定されない。非腐食性で不活性な構造を提供することに加えて、ＰＦＡなどの多くのフルオロポリマーは射出成形および押出成形が可能である。ＰＲＩＭＥＬＯＣＫ（登録商標）継手、ＰＩＬＬＡＲ（登録商標）継手、フレア継手、およびその他の継手など、このようなポリマーで作られたいくつかのタイプのコネクタ継手が利用可能であり、知られている。例示的な継手は、例えば、特許文献１、特許文献２、特許文献３、特許文献４、特許文献５、および特許文献６に説明されている。
【先行技術文献】
【特許文献】
【０００４】
【特許文献１】米国特許第５１５４４５３号明細書
【特許文献２】米国特許第６４０９２２２号明細書
【特許文献３】米国特許第６４１２８３２号明細書
【特許文献４】米国特許第６６０１８７９号明細書
【特許文献５】米国特許第６７５８１０４号明細書
【特許文献６】米国特許第６７７６４４０号明細書
【非特許文献】
【０００５】
【非特許文献１】ＮＦＰＡ ７７、「Ｒｅｃｏｍｍｅｎｄｅｄ Ｐｒａｃｔｉｃｅ ｏｎ Ｓｔａｔｉｃ Ｅｌｅｃｔｒｉｃｉｔｙ（静電気に関する推奨プラクティス）」、７７−１〜７７−６７頁、２０１４年
【発明の概要】
【発明が解決しようとする課題】
【０００６】
静電放電（ＥＳＤ：Ｅｌｅｃｔｒｏｓｔａｔｉｃ ｄｉｓｃｈａｒｇｅ）は、半導体産業および他の技術用途における流体処理システムにとって重要な技術的問題である。流体と、流体システム内のさまざまな作動構成要素（管（ｔｕｂｉｎｇ）やパイプ（ｐｉｐｉｎｇ）、弁、継手（ｆｉｔｔｉｎｇｓ）、フィルタなど）の表面との間の摩擦接触により、静電荷が発生および蓄積する可能性がある。電荷生成の程度は、構成要素と流体の性質、流体速度、流体粘度、流体の導電率、接地への経路、液体中の乱流と剪断、流体中の空気の存在、および表面積など、限定されないがさまざまな要因によって異なる。これらの特性、およびこれらの特性によって引き起こされる望ましくない静電荷を軽減する方法については、非特許文献１に説明および報告されている。
【０００７】
さらに、流体がシステムを通って流れるとき、ストリーミング電荷と呼ばれる現象で電荷は下流に運ばれる可能性があり、電荷が発生した場所を超えて電荷が蓄積する可能性がある。十分な電荷の蓄積は、管（ｔｕｂｉｎｇ）やパイプ（ｐｉｐｅ）の壁、構成要素の表面、さらにはさまざまな処理工程で基板やウェーハにＥＳＤを引き起こす可能性がある。
【０００８】
いくつかの用途では、半導体基板またはウェーハは静電荷に非常に敏感であり、そのようなＥＳＤは、基板またはウェーハの損傷または破壊をもたらす可能性がある。たとえば、制御されていないＥＳＤにより、基板上の回路が破壊され、通常の露光の前に光活性化合物が活性化される可能性がある。さらに、蓄積された静電荷は、流体処理システム内から外部環境に放出され、流体処理システムの構成要素（たとえば、管（ｔｕｂｉｎｇ）またはパイプ（ｐｉｐｉｎｇ）、継手（ｆｉｔｔｉｎｇｓ）、構成要素、コンテナ、フィルタなど）に損傷を与える可能性があり、リーク（漏れ）、システム内の液体のこぼれ、および構成要素のパフォーマンスの低下につながる可能性がある。これらの状況では、そのような放電は、危険にさらされた流体処理システムで可燃性、毒性、および／または腐食性の流体が使用されると、潜在的な火災または爆発につながる可能性がある。
【０００９】
いくつかの流体処理システムでは、静電荷の蓄積を低減するために、流体処理システム内の特定の金属または導電性構成要素はシステム内の静電荷の蓄積を軽減するために接地され、電荷は金属または導電性構成要素から接地に継続的に分散される。複数の接地ストラップの従来の使用は、流体処理システムに過度の機械的混乱をもたらす可能性があり、広範なメンテナンスを必要とする複雑な接地システムネットワークにつながったり、または望ましくない故障につながる可能性のある複雑なシステムにつながったりする可能性がある。
【００１０】
構成要素性能を改善し、潜在的に損傷を与えるＥＳＤイベントを低減するために、超高純度流体処理システムにおけるＥＳＤ軽減を改善することが望ましいであろう。
【課題を解決するための手段】
【００１１】
本開示の１つまたは複数の実施形態は、ＥＳＤ軽減を備えた流体処理システム内の流体回路に関する。１つまたは複数の実施形態では、流体回路は、複数の導電性作動構成要素（ｃｏｎｄｕｃｔｉｖｅ ｏｐｅｒａｔｉｖｅ ｃｏｍｐｏｎｅｎｔｓ）および管セグメント（ｔｕｂｉｎｇ ｓｅｇｍｅｎｔｓ）を含む。
【００１２】
特定の実施形態では、少なくとも１つの入口および少なくとも１つの出口を有する所定の流体流路（気体または液体、あるいはその両方など）のための流体回路であり、流体回路は、複数の管セグメントと複数の作動構成要素とを含む。それぞれの作動構成要素は、内部流体流路と複数の管コネクタ継手（ｔｕｂｉｎｇ ｃｏｎｎｅｃｔｏｒ ｆｉｔｔｉｎｇｓ）とを備えた本体部分を含む。作動構成要素は、選択された管コネクタ継手で複数の管セグメントを接続し、複数の管セグメントおよび作動構成要素は、流体回路を通る流体流路を提供する。それぞれの管セグメントは、（ｉ）流体通路を規定する非導電性ポリマー部分と、（ｉｉ）それぞれの管セグメントの端部へと軸方向に延びる１つまたは複数の内部導電性フルオロポリマーストライプとを含む。それぞれの作動構成要素の本体部分は、複数の管コネクタ継手のそれぞれの間に延在する導電性フルオロポリマーを含み、それぞれの管コネクタ継手は、本体部分のそれぞれ導体を、管セグメントの内部導電性フルオロポリマーストライプに導電的に接続する。
【００１３】
他の開示された実施形態は、少なくとも１つの入口および少なくとも１つの出口を有する所定の流体流路のための静電放電軽減流体回路を作製する方法であり、方法は、複数の管セグメントを複数の作動構成要素に導電的に接続することを含む。それぞれの作動構成要素は、内部流体流路と複数の管コネクタ継手とを有する本体部分を備える。作動構成要素は、選択された管コネクタ継手で複数の管セグメントを接続し、複数の管セグメントおよび作動構成要素は、流体回路を通る流体流路を提供する。ここで、それぞれの管セグメントは、（ｉ）流体通路を規定する非導電性ポリマー部分と、（ｉｉ）導電性フルオロポリマーの１つまたは複数の内部導電性ストライプとを含む。導電性フルオロポリマーは、それぞれの管コネクタ継手の端部へと軸方向に延びる非導電性ポリマー部分に結合され均一にされる。それぞれの本体部分は、複数の管コネクタ継手のそれぞれの間に延びる導電性フルオロポリマーを含む。それぞれの管コネクタ継手は、本体部分のそれぞれの導体を管セグメントの内部導電性フルオロポリマーストライプの少なくとも１つに導電的に接続し、静電放電軽減流体回路を接地する。
【００１４】
様々な実施形態において、流体回路を通る導電性経路および流体通路を提供するために、作動構成要素は、それらのそれぞれの管コネクタ継手で構成要素に接続する１つまたは複数の管セグメントによって接続される。適切な作動構成要素は、例えば、弁、ストレートコネクタ、Ｔコネクタ、エルボコネクタ、マルチコネクタマニホールド、フィルタ、熱交換器、またはセンサを含む。適切なセンサには、例えば、流量コントローラー、レギュレーター、流量計、圧力計、または可変面積計が含まれ得る。１つまたは複数の実施形態では、作動構成要素の本体部分は、コネクタ継手と流体流路との間に延びる導電性部分に結合され、均一であり得る。
【００１５】
特定の実施形態では、複数の管セグメントはそれぞれ、非導電性ポリマー部分と、非導電性ポリマー管部分と共に軸方向に延びる１つまたは複数の内部導電性フルオロポリマーストライプとを含む。管セグメントの導電性フルオロポリマーのストライプは、管コネクタ継手で本体部分の導電性経路に導電的に接続する。
【００１６】
１つまたは複数の実施形態では、それぞれの管コネクタ継手は、本体部分の導電経路を、それぞれの管コネクタ継手に接続された管部分の導電性フルオロポリマーのストライプに導電的に接続する。
【００１７】
上記の要約は、本開示のそれぞれの例示された実施形態またはすべての実装を説明することを意図するものではない。
本開示に含まれる図面は、本開示の実施形態を例示し、明細書とともに、本開示の原理を説明するのに役立つ。図面は、特定の実施形態を例示するだけであり、開示を限定するものではない。
【図面の簡単な説明】
【００１８】
【図１】本開示の１つまたは複数の実施形態による、流体処理システムおよび流体回路を示している。
【図２】本開示の１つまたは複数の実施形態による、作動構成要素および接続された管セグメントを示す。
【図３】本開示の１つまたは複数の実施形態による、作動構成要素、管コネクタ継手、継手ナット、および管セグメントを示す。
【図４ａ】本開示の１つまたは複数の実施形態による、管コネクタ継手（図４ａ）および管セグメント（図４ｂ）を有する作動構成要素の側面を示す。
【図４ｂ】本開示の１つまたは複数の実施形態による、管コネクタ継手（図４ａ）および管セグメント（図４ｂ）を有する作動構成要素の部分断面図を示す。
【図５ａ】本開示の１つまたは複数の実施形態による、作動構成要素の断面図を示す。
【図５ｂ】図５ａの断面線５−１で見られた断面図を示している。
【図５ｃ】図５ａの断面線５−１で見られた代替の実施形態の断面図を示す。
【図５ｄ】図５ａの断面線５−１で見られた代替の実施形態の断面図を示す。
【図５ｅ】図５ａの断面線５−１で見られた代替の実施形態の断面図を示す。
【図６ａ】本開示の１つまたは複数の実施形態による、２つのエンドキャップを有するフィルタの分解等角図を示す。
【図６ｂ】本開示の１つまたは複数の実施形態による、２つのエンドキャップを有するフィルタの等角図を示す。
【図７ａ】本開示の１つまたは複数の実施形態による、１つのエンドキャップを有するフィルタの分解等角図を示す。
【図７ｂ】本開示の１つまたは複数の実施形態による、１つのエンドキャップの等角図を示す。
【図８ａ】本開示の管セグメントの代替の実施形態の等角図を示す。
【図８ｂ】本開示の管セグメントの代替の実施形態の等角図を示す。
【図８ｃ】本開示の管セグメントの代替の実施形態の等角図を示す。
【図８ｄ】本開示の管セグメントの代替の実施形態の等角図を示す。
【図９】本開示の管セグメントのデジタル画像を示している。
【図１０】本開示の押出システムを示している。
【図１１】静電荷を生成するための異なる管セグメントの能力を試験するために使用されるファラデーカップ装置を示す。
【発明を実施するための形態】
【００１９】
本開示の実施形態は、様々な修正および代替の形態に従順であり、特定の詳細が、例えば、図面に示され、詳細に説明される。開示を，記載された特定の実施形態に限定することを意図するものではないことが理解される。その意図は、この開示の趣旨と範囲に含まれるすべての修正、同等物、および代替案を網羅することである。
【００２０】
本開示は、流体供給から１つまたは複数の下流処理ステージへの流体流路を有するＥＳＤ軽減を備えた流体処理システムの実施形態を報告する。このシステムの実施形態は、導電的に接続された作動構成要素および管セグメントを含む流体回路を含む。従来のいくつかのＥＳＤ軽減流体回路は、例えば、国際特許出願ＷＯ２０１７／２１０２９３で報告されており、明示的な定義または特許請求の範囲を除いて、参照により本明細書に組み込まれる。その他のＥＳＤ軽減流体回路は、たとえば、インテグリスのパンフレット、ＦＬＵＯＲＯＬＩＮＥ Ｅｌｅｃｔｒｏｓｔａｔｉｃ（ＥＳＤ）Ｔｕｂｉｎｇ、２０１５−２０１７で報告されている。
【００２１】
本開示における作動構成要素は、流体入力および流体出力を有し、流体の流れを方向付けまたは提供するために管に接続する任意の構成要素または装置を指す。作動構成要素の例には、継手、弁、フィルタ、熱交換器、センサ、ポンプ、ミキサー、スプレーノズル、およびディスペンスヘッドが含まれるが、これらに限定されない。これらおよび追加の非限定的な作動構成要素の例は、例えば、米国特許第５，６７２，８３２号；米国特許第５，６７２，８３２号；米国特許第５，６７８，４３５号；米国特許第５，８６９，７６６号；米国特許第６，４１２，８３２号；米国特許第６，６０１，８７９号；米国特許第６，５９５，２４０号；米国特許第６，６１２，１７５号；米国特許第６，６５２，００８号；米国特許第６，７５８，１０４号；米国特許第６，７８９，７８１号；米国特許第７，０６３，３０４号；米国特許第７，３０８，９３２号；米国特許第７，３８３，９６７号;米国特許第８，５６１，８５５号；米国特許第８，６８９，８１７号；および米国特許第８，７２６，９３５号に説明される。これらは、リストされた文書に含まれる明示的な定義または特許請求の範囲を除いて、参照により本明細書に組み込まれる。
【００２２】
作動構成要素は、例えば、パーフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）、テトラフルオロエチレンポリマー（ＰＴＦＥ）、または他の適切なポリマー材料を含む導電性フルオロポリマーから構成され得る。例えば、いくつかの実施形態では、導電性フルオロポリマーは、導電性材料が含有（ｌｏａｄｅｄ）されたＰＦＡ（例えば、含有ＰＦＡ（ｌｏａｄｅｄ ＰＦＡ））である。この含有ＰＦＡには、カーボンファイバー、ニッケルコーティングされたグラファイト、カーボンファイバー、カーボンパウダー、カーボンナノチューブ、金属粒子、およびスチールファイバーが含有されたＰＦＡが含まれるが、これらに限定されない。様々な実施形態において、導電性材料は、正方形あたり約１×１０８オーム未満の表面抵抗率レベルを有し、一方、非導電性材料は、正方形あたり約１×１０１０オームを超える表面抵抗率レベルを有する。特定の実施形態では、導電性材料は、正方形あたり約１×１０９オーム未満の表面抵抗率レベルを有し、一方、非導電性材料は、正方形あたり約１×１０９オームを超える表面抵抗率レベルを有する。開示された流体処理システムが超高純度流体処理用途で使用するように構成されている場合、管セグメントと作動構成要素の両方は、通常、純度と耐食性の基準を満たすためにポリマー材料で構成される。
【００２３】
本開示における管セグメントは、典型的には、流体を収容または輸送するのに適した任意の可撓性または非可撓性のパイプまたは管（ｔｕｂｉｎｇ）を指す。管セグメントは導電性であり、流体回路内のそれぞれの管セグメントの長さに沿って導電性経路を提供する。導電性管（Ｃｏｎｄｕｃｔｉｖｅ ｔｕｂｉｎｇ）は、金属または含有ポリマー材料（ｌｏａｄｅｄ ｐｏｌｙｍｅｒｉｃ ｍａｔｅｒｉａｌ）を含む材料から構成することができる。含有ポリマー材料には、鋼線、アルミニウムフレーク、ニッケル被覆グラファイト、カーボンファイバー、カーボンパウダー、カーボンナノチューブ、または他の導電性材料が含有されたポリマーが含まれる。場合によっては、管セグメントは部分的に導電性であり、ポリエステル、ポリカーボネート、ポリアミド、ポリアミド、ポリウレタン、ポリオレフィン、ポリスチレン、ポリエステル、ポリカーボネート、ポリケトン、ポリ尿素、ポリビニル樹脂、ポリアクリレート、ポリメチルアクリレート、およびフルオロポリマーなどの様々な炭化水素ポリマーおよび非炭化水素ポリマーから構成されるような非導電性材料または低導電性材料から構成される主要部分を有する。例示的なフルオロポリマーには、パーフルオロアルコキシアルカンポリマー（ＰＦＡ）、エチレンテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）、およびテトラフルオロエチレンポリマー（ＰＴＦＥ）、もしくは他の適切なポリマー材料が、限定されずに含まれ、例えば、二次共押出導電性部分を有する。特定の実施形態では、管セグメントの内部フルオロポリマー導電性ストライプは、約０．１〜１センチメートルの範囲の幅を有する。選択された実施形態では、それぞれの管セグメントは、約１〜１００フィート（０．３０４８〜３０．４８メートル）の範囲の長さを有する。他の選択された実施形態では、管セグメントは、約１／８インチ（３．１８ミリメートル）から約２インチ（５．０８センチメートル）の外径を有する。他の実施形態では、管セグメントは、約１．２×１０４〜６．７×１０５オームの測定された抵抗を有する。さらに他の実施形態では、管セグメントは、約２．５〜４．３×１０４オームの測定された抵抗を有する。
【００２４】
図１は、本開示の１つまたは複数の実施形態による流体処理システム１５０を示している。システム１５０は、流体が流体供給１５２から流体供給源の下流に配置された１つまたは複数の処理ステージ１５６に流れるための流路を提供する。システム１５０は、流体処理システム１５０の流路の一部を含む流体回路１６０を含む。流体回路１６０は、管セグメント１６４と、管セグメント１６４を介して相互接続された複数の作動構成要素１６８とを含む。図１に示されるように、作動構成要素１６８は、エルボ形状継手（ｅｌｂｏｗ ｓｈａｐｅｄ ｆｉｔｔｉｎｇ）１７０、Ｔ字型継手１７２、弁１７４、フィルタ１７６、流量計１７８、およびストレート継手１７９を含む。しかし、様々な実施形態において、流体回路１６０は、数とタイプについて追加またはより少ない作動構成要素１６８を含み得る。例えば、流体回路１６０は、ポンプ、ミキサー、ディスペンスヘッド、スプレーノズル、圧力レギュレーター、流量コントローラー、または他のタイプの作動構成要素を代替するか、または追加的に含むことができる。組み立てにおいて、作動構成要素１６８は、それらのそれぞれの管コネクタ継手（ｔｕｂｉｎｇ ｃｏｎｎｅｃｔｏｒ ｆｉｔｔｉｎｇｓ）１８６で構成要素１６８に接続する複数の管セグメント１６４によって、一緒に接続される。一緒に接続される、複数の管セグメント１６４および作動構成要素１６８は、流体回路１６０を通って流体供給１５２から処理ステージ１５６に向かう流体通路を提供する。特定の実施形態では、作動構成要素１６８はそれぞれ、流体流路を規定する本体部分１８２と、１つまたは複数の管コネクタ継手１８６とを含む。いくつかの実施形態では、少なくとも１つの管コネクタ継手１８６は、流体を本体部分１８２に受け入れるための入口部分であり、管コネクタ継手１８６の少なくとも別の１つは、入口部分を介して受け取った流体を出力するための出口部分である。例えば、Ｔ字型継手１７２は、流体供給１５２から流体を受け取る入口部分である１つの管コネクタ継手１８６と、処理ステージ１５６に向かって流体を出力する出口部分である２つの管コネクタ継手１８６とを含む。入口部分および出口部分は、それぞれ、管セグメント１６４に接続されるかまたは接続可能である。しかしながら、いくつかの実施形態では、例えば、流体回路１６０内の作動構成要素１６８がスプレーノズルを含む場合、入口部分のみが、管セグメント１６４に接続可能である必要がある。いくつかの実施形態では、作動構成要素１６８のうちの１つまたは複数は、単一の管コネクタまたは継手１７９を含む。
【００２５】
図１に示されるように、それぞれの本体部分１８２は、導電性材料を使用してさらに構成され、管コネクタ継手１８６のそれぞれの間に延在して管コネクタ継手１８６のそれぞれの間に導電性経路を提供する導体部分を形成する。様々な実施形態において、導電性経路は、本体部分１８２に結合されるとともに均一であり、導電性ポリマー材料から構成されている。例えば、いくつかの実施形態では、導体部分は、導電性材料が含有（ｌｏａｄｅｄ）されたＰＦＡから構成されている。この含有ＰＦＡには、カーボンファイバー、ニッケルコーティングされたグラファイト、カーボンファイバー、カーボンパウダー、カーボンナノチューブ、金属粒子、およびスチールファイバーが含有されたＰＦＡが含まれるが、これらに限定されない。
【００２６】
図２および図３に示されるように、管セグメント１６４は部分的に導電性であり、非導電性または低導電性のポリマー材料から構成された主要部分または管部分１８７を有するとともに、管部分１８７の内部長さに沿って軸方向に延びて導電性材料から構成された二次部分または導電性部分１８８（破線で示される）を有する。例えば、いくつかの実施形態では、管セグメント１６４はそれぞれ、非導電性フルオロポリマーの管部分１８７と、軸方向に延びて非導電性フルオロポリマーの主要部分１８７に結合して均一になる導電性ポリマーのストライプとして形成された導電性部分１８８とを含む。特定の実施形態では、管部分は、炭素含有ＰＦＡから構成された二次部分の１つまたは複数の導電性ストライプ１８７を備えるＰＦＡから構成され、導電性ストライプ１８７はそれぞれの管セグメント１６４の内面またはその近くで管セグメント１６４の内部長さに沿って押し出される。
【００２７】
図１に示されるように、作動構成要素１６８のそれぞれは、本体部分１８２のそれぞれの導電経路を、作動構成要素１６８に接続される管セグメント１６４の導電性部分１８７（図２および図３に示される）に導電的に接続するための架橋構成要素を含む。したがって、特定の実施形態では、接続された作動構成要素１６８および管セグメント１６４は、流体回路１６０全体に沿って電気経路を形成し、管セグメント１６０間の導電性の破断を消滅させる。回路図１９０は、電気経路を説明するために流体回路１６０に重ね合わされている。様々な実施形態において、導電性材料は、正方形あたり約１×１０１０オーム未満の表面抵抗率レベルを有し、一方、非導電性材料は、正方形あたり約１×１０１０オームを超える表面抵抗率レベルを有する。特定の実施形態では、導電性材料は、正方形あたり約１×１０９オーム未満の表面抵抗率レベルを有し、一方、非導電性材料は、正方形あたり約１×１０９オームを超える表面抵抗率レベルを有する。
【００２８】
特定の実施形態では、静電荷の蓄積を軽減するために、１つまたは複数の作動構成要素１６８は、１つまたは複数の取付固定具１９８を介してアース１９４に電気的に接続される。接地取付固定具１９８は、流体回路１６０に静電気が蓄積するにつれて、導電性経路１９０から接地１９４への経路を提供することで静電気を連続的に分散させる。
【００２９】
図２および図３は、本開示の１つまたは複数の実施形態による作動構成要素２１０の例を示している。図２は、継手２１４、より具体的には、「Ｔ」形状（例えば、Ｔ字型継手）を有する３方向コネクタである作動構成要素２１０を示す。図３は、弁２１８を示している。Ｔ字型継手２１４は、導電性の本体部分２２２と、本体部分１２２から外向きに延びる３つのコネクタ継手２２６とを含む。特定の実施形態では、コネクタ継手の外面は、構造面２７０を含む。弁２１８は、導電性の本体部分２３０と、本体部分２３０から外向きに延びる２つのコネクタ継手２２７とを含む。特定の実施形態では、コネクタ継手の外面は、構造面２７０を含む。
【００３０】
様々な実施形態において、コネクタ継手２２６および２２７は、実質的に同じ設計である。上記のように、様々な実施形態において、本体部分２２２，２３０は、導電性ポリマー材料を使用して構成される。例えば、本体部分２２２または２３０は、ＰＦＡ、ＥＴＦＥ、ＦＥＰ、およびＰＴＦＥを含むがこれらに限定されない導電性炭素含有（ｌｏａｄｅｄ）フルオロポリマーから構成することができる。
【００３１】
図４ａは、２つの管セグメントを接続するためのストレートコネクタ継手４００を示している。コネクタ継手４００は、作動構成要素の本体部分４０４に隣接する肩領域４０２を含み、ネック領域４０６、ネジ領域４０６ａ、およびニップル部分４０６ｂを形成するように外側に延びる。管セグメント１６４は、ニップル部分４０６ｂによって受け取られ、ニップル部分４０６ｂは、特定の実施形態では、例えば、ＦＬＡＲＥＴＥＫ（登録商標）継手として構成され得る。コネクタ継手４００はまた、外部電気接点に、次に接地に取り付けられるために本体部分５０４に導電的に接続される導電性材料である取付特徴４０８を含む。例えば、取付特徴４０８は、ＥＳＤ軽減のために作動構成要素コネクタ継手４００を構成するために接地された電気接点に接続することができる。
【００３２】
図４ｂに示される実施形態では、コネクタ継手４００は、ネジ領域４０６ａに係合して管セグメント１６４を固定するためのコネクタ継手ナット４１０を含む。いくつかの実施形態では、継手ナットは、例えば、圧縮ナットであり得る。継手ナット４１０を回転させてネジ領域４０６ａに締め付けると、管セグメント１６４はコネクタ継手と係合し、内部導電性ストライプが導電性部分をニップル部分４０６ｂに導電的に接続し、管とコネクタ継手との間に漏れ防止シールを形成する。１つまたは複数の実施形態では、継手ナット４１０は、ネジ領域４０６ａと螺合するためのネジ４１０ａを含む内面を有するほぼ円筒形の形状を有する。さらに、継手ナット４１０は、例えば、図２および図３に示されるリブ２７０などの構造化された外面を有し得る。リブは、ネジ領域４０６ａ上の継手ナット４１０を締めたり緩めたりするためのレンチまたはロック装置と嵌合するために、外面の周りに対称的に配置されている。
【００３３】
１つまたは複数の実施形態では、継手ナット４１０は、ポリマー材料から構成されている。例えば、特定の実施形態では、継手ナット４１０は、ＰＦＡ、ポリアニリン、または他の適切なポリマーから構成される。
【００３４】
いくつかの実施形態では、コネクタ継手４００は、例えば、炭素含有ＰＦＡなどの導電性ポリマー材料、または従来の成形処理を使用して形成される他の適切な導電性ポリマーである。
【００３５】
特定の実施形態では、コネクタ継手４００が管セグメント１６４と組み立てられるとき、継手ナット４１０は、ニップル前方部分４０６ｂで管セグメント１６４の外面に接触し、管セグメント１６４とコネクタ継手４００との間に連続流体通路を形成する。継手ナット４１０を回転させて締めると、継手ナット４１０と肩部分４０２との間に配置されたＯリング４１２が、継手ナットと肩部分との両方の外面に接触し、漏れ防止接続を提供する。
【００３６】
様々な実施形態において、Ｏリング３６０は、ＰＦＡなどのポリマー材料、または他のポリマーまたはエラストマーから構成される。
当業者は、図２、図３、および図４に示される特定の実施形態が同一のコネクタ継手を有し、或る実施形態では、コネクタ継手は、様々なサイズを有し得、降圧（ｓｔｅｐ−ｄｏｗｎ）または昇圧（ｓｔｅｐ−ｕｐ）継手などの様々な設計を有し得るか、または様々なタイプの作動構成要素２１０上に配置され得ることを理解するであろう。
【００３７】
図５ａ〜図５ｅは、作動構成要素５００のいくつかの実施形態を示す。作動構成要素５００は、本体部分５０４、管コネクタ継手５２０、および継手ナット５０８を含む。１つまたは複数の実施形態では、作動構成要素５００は、本体内に作動要素５０６をさらに含む。様々な実施形態における作動要素５０６は、様々な作動を実行するように作動構成要素５００を構成するための適切な構造、電子機器、または他の材料を広く含む。例えば、いくつかの実施形態では、作動要素５０６は、ミキサー、センサ、フィルタ、ポンプ、熱交換器、または他の適切な要素である。したがって、作動構成要素５００は、流体回路内で様々な処理またはタスクを実行するように構成可能である。
【００３８】
本体部分５０４は、管コネクタ継手５２０のそれぞれの間に延在する導電性ＰＦＡを含み、導電性ＰＦＡは、管コネクタ継手５２０のそれぞれと、管セグメント５２２ａおよび５２２ｂの内部導電性ストライプとの間に電気的接触を形成する。図５ｂおよび図５ｃにおいて、１つまたは複数の実施形態では、管セグメントの導電性部分は、管セグメントの非導電性ポリマー材料に結合且つ均一とされる導電性材料の狭い内部ストライプである。図５ｂは、４つの内部導電性ストライプ５２４ａ〜５２４ｄを備えた管セグメントを示している。別の実施形態では、図５ｃは、８つの内部導電性ストライプ５２４ａ〜５２４ｈを備えた管セグメントを示している。さらに他の実施形態では、図５ｄは、８つの内部導電性ストライプ５２４ａ〜５２４ｈと、２つの外部導電性ストライプ５２６ａおよび５２６ｂとを備えた管セグメントを示している。内部および外部のストライプを備えた管セグメントの同様の構造では、図５ｅは、８つの内部導電性ストライプ５２４ａ〜５２４ｈと、２つの外部導電性ストライプ５２６ａおよび５２６ｂとを備えた管セグメントを示している。
【００３９】
上記のように、様々な実施形態では、作動構成要素５００は、コネクタ継手５０８のそれぞれで管セグメント５２２ａおよび５２２ｂに接続されている。コネクタ継手５０８は、管セグメントの導電性部分５２２ａおよび５２２ｂからコネクタ部分５０８を通って本体部分５０４を横切る電気経路を形成する。
【００４０】
様々な実施形態において、図５ａに示されるように、本体部分５０４は、取付特徴５２８を含む。１つまたは複数の実施形態では、取付特徴５２８は、外部電気接点に取り付けられて次に接地されるために本体部分５０４に導電的に接続される一片の導電性材料である。例えば、取付特徴５２８は、ＥＳＤ軽減のために作動構成要素５００を構成するために接地された電気接点に接続することができる。１つまたは複数の実施形態では、取付特徴５２８は、ナットまたは他のネジ付きコネクタに取り付けるためにネジが切られたコネクタボスである。いくつかの実施形態では、取付特徴５２８は、電気接点に接続するためのタブ、ネジ穴、または他の適切な特徴である。しかしながら、特定の実施形態では、取付特徴５２８は、電気接点との継手のための締まり継手（ｉｎｔｅｒｆｅｒｅｎｃｅ ｆｉｔ）、スナップ継手（ｓｎａｐ ｆｉｔ）、摩擦継手（ｆｒｉｃｔｉｏｎ ｆｉｔ）、または他の継手方法のために構成することができる。
【００４１】
図６ａは、フィルタである作動構成要素の一実施形態を示している。フィルタ６００のこの等角投影図は、ハウジング６０２と、２つの導電性エンドキャップ６０４および６０６と、ならびに外側導電性スリーブ６０８とを含む。ハウジング６０２は、いくつかの実施形態では交換可能な構成要素である内部フィルタ要素（図示せず）を含む。一方、他の実施形態では内部フィルタ要素は、固定された交換不可能な構成要素である。様々な実施形態において、ハウジング６０２は、ポリマー材料であり得るし、他の実施形態において、例えば、上記のような導電性の炭素含有ＰＦＡなどの導電性ポリマーであり得る。両方の導電性エンドキャップ６０４、６０６は、例えば、導電性の炭素含有ＰＦＡなどの導電性材料であり得る。それぞれのエンドキャップ６０４、６０６は、エンドキャップをハウジング６０２に接続するための継手を含む。いくつかの実施形態では、接続は取り外し可能であり得、他の実施形態では、接続は固定または永久的であり得る。さらに、それぞれのエンドキャップ６０４、６０６は、管セグメントから１つのエンドキャップとハウジングを通って別のエンドキャップと管セグメントへの接続経路と流体通路との両方を提供するために、それぞれのエンドキャップを管セグメント（これも示されていない）に接続するべく上記のように１つまたは複数のコネクタ継手を含む。特定の実施形態では、コネクタ継手は、例えば、上記のように、ニップル部分６１０、ネジ部分６１２、肩部分６１４、および継手ナット６１６を含み、管セグメントおよびフィルタ６００からの導電性接続と漏れ防止通路とを提供する。さらに、コネクタ継手はＯリング（図示せず）を含み得る。導電性スリーブ６０８は、ハウジング６０２と導電性エンドキャップ６０４、６０６との両方の外面上に延在する。スリーブ６０８は、例えば、エンドキャップ６０４との間の導電性接続を提供する炭素含有ＰＦＡなどの導電性ポリマー材料である。いくつかの実施形態では、スリーブ６０８は、ハウジング６０２およびエンドキャップ６０４、６０６の外部に配置され、従来の装置および処理を使用してスリーブに熱を加えることによって外面に接続され得るシュリンクラップポリマーである。任意選択で、両方のエンドキャップ６０４、６０６の一方または両方は、取付特徴（図示せず）を含み得る。１つまたは複数の実施形態では、取付特徴は、外部電気接点に取り付けてよってアースに取り付けるために、一方または両方のエンドキャップ６０４、６０６に導電的に接続されている導電性材料の一片である。たとえば、取付特徴は、ＥＳＤ軽減のためにフィルタを構成するために接地された電気接点に接続できる。１つまたは複数の実施形態では、取付特徴は、ナットまたは他のネジ付きコネクタに取り付けるためにネジ切りされたコネクタボスである。いくつかの実施形態では、取付特徴は、電気接点に接続するためのタブ、ネジ穴、または他の適切な特徴である。しかしながら、特定の実施形態では、取付特徴は、締まり継手、スナップ継手、摩擦継手、または電気接点を備えた他の継手方法のために構成することができる。
【００４２】
図６ｂに示されるような特定の実施形態では、フィルタ６００は、ドレーン継手６１８およびドレンプラグ６２０を含む。ドレーン継手６１８とドレンプラグとのうちの少なくとも一方が導電性材料である場合、これらの構成要素の一方または両方をアース（ｇｒｏｕｎｄ）に接続して、ＥＳＤ軽減を提供することができる。
【００４３】
図７ａはまた、フィルタである作動構成要素の一実施形態を示している。フィルタ７００のこの等角投影図は、ハウジング７０２、導電性エンドキャップ７０４、および外側導電性スリーブ７０８を含む。ハウジング７０２は、いくつかの実施形態では交換可能な構成要素である内部フィルタ要素（図示せず）を含む。一方、他の実施形態では内部フィルタ要素は、固定された交換不可能な構成要素である。様々な実施形態において、ハウジング７０２は、ポリマー材料であり得るし、他の実施形態において、例えば、上記のような導電性の炭素含有ＰＦＡなどの導電性ポリマーであり得る。導電性エンドキャップ７０４は、例えば、導電性の炭素含有ＰＦＡなどの導電性材料であり得る。導電性エンドキャップ７０４は、エンドキャップをハウジング７０２に接続するための継手を含む。いくつかの実施形態では、接続は取り外し可能であり得、他の実施形態では、接続は固定または永久的であり得る。さらに、エンドキャップ７０４は、管セグメントと導体継手とからハウジングを通って別の導体継手と管セグメントとへの接続通路と流体通路との両方を提供するために、上記のようにエンドキャップを管セグメントに接続するべく１つまたは複数のコネクタ継手７１０を含む。特定の実施形態では、コネクタ継手は、例えば、上記のように、ニップル部分、ネジ部分、肩部分、および継手ナットを含み、管セグメント１６４およびフィルタ７００からの導電性接続と漏れ防止流体通路とを提供する。さらに、コネクタ継手は、Ｏリング（図示せず）を含み得る。導電性スリーブ７０８は、ハウジング７０２および導電性エンドキャップ７０４の両方の外面上に延在する。スリーブ７０８は、例えば、エンドキャップ７０４とフィルタ７００の外部との間に導電性接続を提供する炭素含有ＰＦＡなどの導電性ポリマー材料である。いくつかの実施形態では、スリーブ７０８は、ハウジング７０２およびエンドキャップ７０４の外側に配置され、従来の装置および処理を使用してスリーブに熱を加えることによって外面に接続され得るシュリンクラップポリマーである。オプションとして、エンドキャップ７０４は、取付特徴（図示せず）を含み得る。１つまたは複数の実施形態では、取付特徴は、外部電気接点に取り付けてよって接地するためにエンドキャップ７０４に導電的に接続されている導電性材料の一片である。たとえば、取付特徴は、ＥＳＤ軽減のためにフィルタを構成するために接地された電気接点に接続できる。１つまたは複数の実施形態では、取付特徴は、ナットまたは他のネジ付きコネクタに取り付けるためにネジ切りされたコネクタボスである。いくつかの実施形態では、取付特徴は、電気接点に接続するためのタブ、ネジ穴、または他の適切な特徴である。しかしながら、特定の実施形態では、取付特徴は、締まり継手、スナップ継手、摩擦継手、または電気接点を備えた他の継手方法のために構成することができる。特定の実施形態では、フィルタ７００は、ドレーン継手７１８およびドレンプラグ（図示せず）を含む。ドレーン継手７１８とドレンプラグとのうちの少なくとも一方が導電性材料である場合、これらの構成要素の一方または両方をアースに接続してＥＳＤを軽減することができる。図７ａはまた、クランプ要素７２１、７２２、および７２３を含むオプションの保持クランプを示している。
【００４４】
図７ｂは、導電性ポリマー部分７３０と天然ポリマー部分７３２とを含むエンドキャップ７０４の実施形態を示す。
［共押出処理］
本開示に記載されている導電性ポリマーストライプを有する管セグメントは、様々な共押出し処理を使用して作製することができる。例えば、図８ａに示される管セグメント８００ａは、管セグメントの外部または外径に導電性ストライプ８０２ａおよび８０４ａを含み、管セグメントの内部または内径に導電性ストライプ８０６ａを含む。別の実施形態では、図８ｂは、管セグメントの内部に導電性ストライプ８０２ｂを有する管セグメント８００ｂを示し、導電性ストライプ８０２ｂは管セグメントの軸方向の長さに沿って延びる螺旋状のストライプである。別の実施形態では、図８ｃは、管セグメントの外側および内側の両方に導電性ストライプ８０２ｃおよび８０４ｃを有する管セグメント８００ｃを示し、導電性ストライプ８０２ｃおよび８０４ｃは管セグメントの長さに沿って軸方向に沿って延びる螺旋状のストライプである。さらに別の実施形態では、図８ｄは、管セグメントの外側に導電性ストライプ８０２ｄを有する管セグメント８００ｄを示し、導電性ストライプ８０２ｄは管セグメントの長さに沿って軸方向に沿って延びる螺旋状のストライプである。
【００４５】
図９は、管セグメント９００のデジタル画像であり、管セグメントの内部に、画像内の黒いストライプである８つの内部ストライプを含む。このデジタル画像は、内部のストライプが管セグメントの他の部分に結合されて均一にしていることを示している。
【００４６】
図１０は、本開示に記載されている１つまたは複数の管セグメントを提供する押出装置のデジタル画像である。図１０は、管セグメント１０５０の内径と、管セグメントの内径および外径の両方とにストライプ１０３０を押し出すツール１０２０に対して、垂直に供給される非導電性押出しポリマー（ＰＦＡ）フィード１０００と導電性押出しポリマー（ＰＦＡ／カーボンブラックポリマー）フィード１０１０とを示す。当業者は、管セグメントの非導電性部分に結合されて均一である導電性ストライプを有する管セグメントを提供するであろう特定の押出しパラメータを容易に決定するであろう。
【００４７】
［例１：静的生成テスト］
この実施例は、以下の［テーブル１］に示される導電性材料および非導電性材料を含む管セグメントに、脱イオン水（ｄｅｉｏｎａｉｚｅｄ ｗａｔｅｒ：脱イオン化水）を流すことによって生成される静電気の量を測定した。静電気の測定は、発生した電荷をファラデーカップで収集および測定するための既知の方法を使用して行われた。
【００４８】
図１１は、この例で使用されるファラデーカップ装置１１００を示すデジタル画像である。簡単に言えば、脱イオン水１１１０は、作動要素１１３０と接地された管セグメント１１２０とを通過し、次いでファラデーカップに集められる。ファラデーカップ１１５０は、この例のデータが収集されたときには、画像に表示されなかったカバーを含んでいた。画像化されたデータによって提供される例示的なデータは、以下の［チャート１］〜［チャート４］に示されている。
【００４９】
［チャート１］（表１）および［チャート２］（表２）は、同じ流れ条件下で同じ直径を有するＰＦＡ管セグメントと、ステンレス鋼（ＳＳ）管セグメントとの間の静電荷発生の違いをグラフで示している。ＰＦＡ管セグメントは、ＳＳ管セグメントによって生成された静電荷（約８０ｎＣ）と比較して、実質的により多くの静電荷（約１６００ｎＣ）を生成した。
【００５０】
【表１】
2021519902.tif 000003
【００５１】
【表２】
2021519902.tif 000004
【００５２】
［チャート３］（表３）および［チャート４］（表４）は、同じ流れ条件下で同じ直径を有するＰＦＡ／内径および外径ストライプ管セグメントと、ＰＦＡ／内径ストライプ管セグメントとの間の静電荷生成の違いをグラフで示している。ＰＦＡ／内径および外径ストライプ管セグメントは、ＰＦＡ／内径ストライプ管セグメントによって生成される静電荷（約１１５ｎＣ）と比較して、より少ない静電荷（約４３ｎＣ）を生成した。
【００５３】
【表３】
2021519902.tif 000005
【００５４】
【表４】
2021519902.tif 000006
【００５５】
［テーブル１］（表５）は、この例で試験された様々な管セグメントによって生成された静電気の測定された量を要約している。これらの結果は、［チャート５］（表６）にもグラフで表示される。
【００５６】
【表５】
2021519902.tif 000007
【００５７】
【表６】
2021519902.tif 000008
【００５８】
本開示の様々な実施形態の説明は、例示の目的で提示されたが、網羅的であることを意図するものではなく、または開示される実施形態に限定されることを意図するものではない。説明された実施形態の範囲および趣旨から逸脱することなく、多くの修正および変形が当業者には明らかであろう。本明細書で使用される用語は、実施形態の原理、市場で見られる技術に対する実際の適用または技術的改善を説明するため、または当業者が本明細書に開示される実施形態を理解できるようにするために選択された。
【図１】
2021519902.tif 000009
【図２】
2021519902.tif 000010
【図３】
2021519902.tif 000011
【図４ａ】
2021519902.tif 000012
【図４ｂ】
2021519902.tif 000013
【図５ａ】
2021519902.tif 000014
【図５ｂ】
2021519902.tif 000015
【図５ｃ】
2021519902.tif 000016
【図５ｄ】
2021519902.tif 000017
【図５ｅ】
2021519902.tif 000018
【図６ａ】
2021519902.tif 000019
【図６ｂ】
2021519902.tif 000020
【図７ａ】
2021519902.tif 000021
【図７ｂ】
2021519902.tif 000022
【図８ａ】
2021519902.tif 000023
【図８ｂ】
2021519902.tif 000024
【図８ｃ】
2021519902.tif 000025
【図８ｄ】
2021519902.tif 000026
【図９】
2021519902.tif 000027
【図１０】
2021519902.tif 000028
【図１１】
2021519902.tif 000029
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
少なくとも１つの入口と少なくとも１つの出口とを有する所定の流体流路用の流体回路であって、
前記流体回路は複数の管セグメントと複数の作動構成要素とを備え、
それぞれの前記作動構成要素は、内部流体流路と複数の管コネクタ継手とを備えた本体部分を含み、前記作動構成要素は、選択された前記管コネクタ継手で複数の前記管セグメントを接続し、複数の前記管セグメントと前記作動構成要素とは前記流体回路を通る前記流体流路を提供し、
それぞれの前記管セグメントは、（ｉ）流体通路を規定する非導電性ポリマー部分と、（ｉｉ）それぞれの前記管セグメントの端部へと軸方向に延びる導電性フルオロポリマーの１つまたは複数の内部導電性ストライプとを備え、
前記作動構成要素のそれぞれの前記本体部分は、複数の前記管コネクタ継手のそれぞれの間に延びる導電性フルオロポリマーを備え、
それぞれの前記管コネクタ継手は、前記本体部分のそれぞれの導体を、前記管セグメントの１つまたは複数の前記内部導電性ストライプに導電的に接続する、
流体回路。
【請求項２】
複数の前記作動構成要素は、弁、ストレートコネクタ、Ｔコネクタ、エルボコネクタ、マルチコネクタマニホールド、フィルタ、熱交換器、またはセンサのいずれか１つを含む、
請求項１に記載の流体回路。
【請求項３】
前記管コネクタ継手は、雄ニップル部分と継手ナットとを備える１つまたは複数の入口部分を有し、
前記雄ニップル部分は、前記継手ナットに係合するためのネジ部分を有し、
前記継手ナットは、前記作動構成要素の前記導電性フルオロポリマーを前記管セグメントの端部の前記内部導電性ストライプと係合させて、前記導電性フルオロポリマーと前記管セグメントの端部の前記内部導電性ストライプとを導電的に接続する、
請求項１に記載の流体回路。
【請求項４】
１つまたは複数の前記作動構成要素は、それぞれの前記作動構成要素の導電性ポリマーを接地に導電的に接続する取付特徴を備える、
請求項１に記載の流体回路。
【請求項５】
前記作動構成要素は、流体通路を有するハウジングと、フィルタ要素と、２つの導電性エンドキャップとを備える本体部分を含むフィルタであり、前記導電性エンドキャップは、前記フィルタに接続された管セグメントに導電的に接続するための管コネクタ継手と導電性継手ナットとを有し、
前記本体部分は、複数の前記導電性エンドキャップを導電的に接続するための導電性の外部ストライプを有する、
請求項１に記載の流体回路。
【請求項６】
前記作動構成要素は、２つの導電性エンドキャップを前記本体部分の外部に導電的に接続する導電性スリーブを有するフィルタを含む、
請求項１に記載の流体回路。
【請求項７】
前記作動構成要素は、流体通路を有するハウジングと、フィルタ要素と、単一の導電性エンドキャップとを有する本体部分を備えるフィルタであり、前記導電性エンドキャップは、前記フィルタに接続された前記管セグメント同士を導電的に接続するための管コネクタ継手と導電性継手ナットとを有する、
請求項１に記載の流体回路。
【請求項８】
前記作動構成要素は、単一のエンドキャップを前記本体部分の外部に導電的に接続するための導電性スリーブを有するフィルタである、
請求項１に記載の流体回路。
【請求項９】
前記作動構成要素は、ドレーン継手の中に継ぎ手する導電性プローブを備える、
請求項１に記載の流体回路。
【請求項１０】
前記管セグメントの１つまたは複数の前記内部導電性ストライプのそれぞれは、導電性フルオロポリマーを含み、
複数の作動構成要素のそれぞれは、前記管セグメントの１つまたは複数の前記内部導電性ストライプを介して互いに導電的に接続される、
請求項１〜９のいずれか一項に記載の流体回路。
【国際調査報告】
2021519902.tif 000030
2021519902.tif 000031
2021519902.tif 000032